【手続補正書】
【提出日】平成25年9月10日(2013.9.10)
【手続補正１】
【補正対象書類名】特許請求の範囲
【補正対象項目名】全文
【補正方法】変更
【補正の内容】
【特許請求の範囲】
【請求項１】
ディスクリートな信号源を選択するステップと、
前記選択したディスクリートな信号源から基準信号を生成して、同位相基準信号の出力を生成するステップと、
前記選択したディスクリートな信号源から反転させられた位相信号を生成して、極性反転位相信号を生成するステップと、
前記ディスクリートな信号源の位相の瞬時変化または実質的瞬時変化によって位相レイヤード信号を生成するステップと、
前記基準信号および前記極性反転位相信号、ならびに前記位相レイヤード信号を混合して、サウンドの再生のための複合出力信号を形成するステップと
を含むオーディオ再生プロセス。
【請求項２】
位相レイヤード信号を生成するステップが、位相レイヤード高音および低音信号を生成するための、位相レイヤード高音信号および位相レイヤード低音信号を生成するステップを含む請求項１に記載のオーディオ再生プロセス。
【請求項３】
前記選択したディスクリート信号の左および右の入力を混合して、前記位相レイヤード高音信号および前記位相レイヤード低音信号を生成するステップを含む請求項２に記載のオーディオ再生プロセス。
【請求項４】
前記生成される極性反転位相信号が、並列の回路において生成され、各々の回路がディスクリート信号の左および右の入力を合成する請求項３に記載のオーディオ再生プロセス。
【請求項５】
前記極性反転位相信号を生成するステップが、極性反転位相信号のために左信号から右信号を差し引いた信号、および右信号から左信号を差し引いた信号を生成し、合成するステップを含む請求項４に記載のオーディオ再生プロセス。
【請求項６】
前記並列の極性反転位相信号の各々が、リンクされた電圧制御増幅器に結合される請求項５に記載のオーディオ再生プロセス。
【請求項７】
ディスクリートな信号源と、
前記ディスクリートな信号源に結合され、同位相基準信号を生成する基準信号回路と、
前記ディスクリートな信号源に結合され、前記ディスクリートな信号源から極性反転位相信号を生成する位相反転信号回路と、
前記ディスクリートな信号源に結合され、前記ディスクリートな信号源の位相の瞬時変化または実質的瞬時変化によって位相レイヤード高音信号を生成する位相レイヤード高音信号回路と、
前記ディスクリートな信号源に結合され、前記ディスクリートな信号源の位相の瞬時変化または実質的瞬時変化によって位相レイヤード低音信号を生成する位相レイヤード低音信号回路と、
前記基準信号回路、前記位相反転信号回路、前記位相レイヤード高音信号回路、および前記位相レイヤード低音信号回路からの出力に結合されて、複合出力信号を形成する出力回路と
を備えるオーディオ再生システム。
【請求項８】
前記出力回路が、前記同位相基準信号、前記極性反転位相信号、前記位相レイヤード高音信号、および前記位相レイヤード低音信号を混合して、複合出力信号を形成するミキサを含む請求項７に記載のオーディオ再生システム。
【請求項９】
前記位相反転信号回路が、インバータ回路を含む請求項８に記載のオーディオ再生システム。
【請求項１０】
前記位相レイヤード高音信号回路および前記位相レイヤード低音信号回路の各々が、インバータ回路を含む請求項９に記載のオーディオ再生システム。
【請求項１１】
前記ディスクリートな信号源が、左および右の信号入力を含む請求項１０に記載のオーディオ再生システム。
【請求項１２】
前記ディスクリートな信号源の左および右の信号入力がミキサに結合されて、前記位相レイヤード高音回路および前記位相レイヤード低音回路に結合された合成信号を生成する請求項１１に記載のオーディオ再生システム。
【請求項１３】
前記位相反転信号回路が、１対の並列な回路を有し、各々がディスクリートな信号源の左および右の信号を合成させる請求項１２に記載のオーディオ再生システム。
【請求項１４】
前記位相反転信号回路の並列な回路の一方が左−右フィルタを有し、他方が右−左フィルタを有する請求項１３に記載のオーディオ再生システム。
【請求項１５】
前記位相レイヤード並列回路の各々が、電圧制御増幅器に接続されている請求項１４に記載のオーディオ再生システム。
【請求項１６】
ディスクリートな信号源を選択するステップと、
前記選択したディスクリートな信号源を分割するステップと、
前記選択したディスクリートな信号源を、同位相の信号出力を有する第１の回路に加えるステップと、
前記選択したディスクリートな信号源を、極性反転信号出力を有する第２の回路に加えるステップと、
前記選択したディスクリートな信号源を、位相レイヤード信号出力を有する第３の回路に加えるステップであって、前記第３の回路が前記ディスクリートな信号源の位相の瞬時変化または実質的瞬時変化によって位相レイヤード信号出力を生成する、前記ステップと、
前記第１、第２、および第３の回路からの信号出力を合成して、トランスデューサを駆動するためのオーディオ出力信号を生成するステップと
を含み、これによって、
位相レイヤード成分を有するオーディオサウンドを生成するオーディオ再生プロセス。
【請求項１７】
前記選択したディスクリートな信号を第３の回路に加えるステップが、前記信号を位相レイヤード高音回路および位相レイヤード低音回路に加えるステップを含む請求項１６に記載のオーディオ再生プロセス。
【請求項１８】
前記位相レイヤード高音回路および位相レイヤード低音回路の出力信号の位相を調節するステップを含む請求項１７に記載のオーディオ再生プロセス。
【手続補正２】
【補正対象書類名】明細書
【補正対象項目名】００４６
【補正方法】変更
【補正の内容】
【００４６】
第１の回路区間は、同位相に接続された並列回路である、すなわち増幅器１１の正の接続部が、両方のスピーカ１３および１４の正の接続部に接続され、増幅器１１の負の接続部が、両方のスピーカ１３および１４の負の接続部に接続されている。第２の回路区間は、逆位相に接続された直列回路であり、スピーカ１５の負がスピーカ１６の正に接続され、スピーカ１５の正が増幅器１２の負の端子に接続されている。スピーカ１６の負が、増幅器１２の正に接続されている。回路を、四重のボイスコイルのスピーカまたはトランスデューサに接続された単一の増幅器を使用するなど、第１および第２の回路区間を他のやり方で組み合わせることによって構成することも可能である。図１に示されている構成は、各々の回路区間の利得を制御し、各々の回路区間のインピーダンスを簡単なやり方で整合させる能力を有している。図１の各区間が、聴取者に業界のコンプライアンスに従い、すなわち同位相に聞こえるようなオーディオ信号の設計のやり方の特徴に一致する第１の回路区間のサウンド特徴を個別にもたらす。図１の第１および第２の区間が個別に、聴取者が第２の回路区間だけを聴取し、同時に第１の回路区間を聞き取ることがない場合に、聴取者が、サウンドが遠く、より大きな空間的高さ、幅、および深さを有しているが遠く離れていると思うような、オーディオ信号の部分的な再現をもたらす。２つの回路区間を同時に組み合わせることで、実質的に完全なオーディオ信号が再現される。音声、音楽、または他のオーディオの元の音響事象、録音、または再生された伝達のサウンドが、実質的に元の事象のように聞き取られる。第１および第２の回路区間は、実質的に完全な信号が形成されるために、等しい振幅に実質的に整合させられなければならない。いずれかの振幅が大きく異なると、より強い信号強度を有する一方が他方を圧倒し、全体としての信号が最適にバランスしなくなる。したがって、結果として得られる信号が、例えば複合回路または実質的に完全なオーディオ信号よりもむしろ処理されて振幅および位相の加算または減算に基づくという効果を有する信号などの実質的に完全な信号から遠くなる。したがって、この実施形態においては、完全なオーディオ信号が物理的な空気の中で生成されており、したがって元の音響事象と同様の様相で振る舞うよう、各々のスピーカはフルレンジのスピーカであり、回路は増幅器の後にあると仮定される。したがって、高域通過および低域通過のクロスオーバは、この実施形態においては不要である。
【手続補正３】
【補正対象書類名】図面
【補正対象項目名】図１
【補正方法】変更
【補正の内容】
【図１】
2013504837.tif 000001
【手続補正４】
【補正対象書類名】図面
【補正対象項目名】図２
【補正方法】変更
【補正の内容】
【図２】
2013504837.tif 000002
【手続補正５】
【補正対象書類名】図面
【補正対象項目名】図３
【補正方法】変更
【補正の内容】
【図３】
2013504837.tif 000003